(57)【要約】【課題】  ディスクドライブのサスペンション組立体を提供する。【解決手段】  スイングアーム１０１の一端部に設置され，読み取り／書き込みヘッドが搭載されたスライダ１１３をディスクの表面側に付勢されるように支持するディスクドライブのサスペンション組立体において，スイングアーム１０１の一端部に結合されるロードビーム１１１，ロードビーム１１１と結合され，スライダ１１３を支持するフレクシャー１１２，及び固定端部は，フレクシャー１１２に固定され，自由端部は，ロードビーム１１１の先端部側に延びて，ロードビーム１１１と所定の間隔で離隔されているホックリミッター１２０を備えることを特徴とするディスクドライブのサスペンション組立体である。【選択図】  図４
2006092726.tif 000002
【特許請求の範囲】
【請求項１】
スイングアームの一端部に設置され，読み取り／書き込みヘッドが搭載されたスライダをディスクの表面側に付勢されるように支持するディスクドライブのサスペンション組立体において，
前記スイングアームの一端部に結合されるロードビームと，
前記ロードビームと結合され，前記スライダを支持するフレクシャーと，
固定端部が前記フレクシャーに固定され，自由端部が前記ロードビームの先端部側に延びて，前記ロードビームと所定の間隔で離隔されているリミッターと，
を備えることを特徴とする，ディスクドライブのサスペンション組立体。
【請求項２】
前記リミッターの自由端部と前記ロードビームとの間隔は，相互間に対向しているスライダ間の定常距離の１／２より小さいことを特徴とする，請求項１に記載のディスクドライブのサスペンション組立体。
【請求項３】
前記リミッターの自由端部が前記ロードビームと接触して反作用することによって，前記スライダが他の部分に接触される前に，前記リミッターが前記フレクシャー及び前記スライダの揺動運動に対するストッパーとなることを特徴とする，請求項１に記載のディスクドライブのサスペンション組立体。
【請求項４】
前記リミッターの自由端部は，前記ロードビームと点接触することを特徴とする，請求項１に記載のディスクドライブのサスペンション組立体。
【請求項５】
前記ロードビームには，前記リミッターが通過するホールが形成されていることを特徴とする，請求項１に記載のディスクドライブのサスペンション組立体。
【請求項６】
前記リミッターは，ホック状であることを特徴とする，請求項１に記載のディスクドライブのサスペンション組立体。
【請求項７】
データが保存される記録媒体と，
読み取り／書き込みヘッドを前記記録媒体上の所定の位置に移動させるものであって，スイングアーム，及び前記スイングアームの一端部に設置され，前記読み取り／書き込みヘッドが搭載されたスライダを前記記録媒体の表面側に付勢されるように支持するサスペンション組立体を備えるアクチュエータと，
を備え，
前記サスペンション組立体は，
前記スイングアームの一端部に結合されるロードビームと，
前記ロードビームと結合され，前記スライダを支持するフレクシャーと，
固定端部が前記フレクシャーに固定され，自由端部が前記ロードビームの先端部側に延びて，前記ロードビームと所定の間隔で離隔されているリミッターと，
を備えることを特徴とする，記録再生装置。
【請求項８】
前記記録再生装置は，ハードディスクドライブであることを特徴とする請求項７に記載の記録再生装置。
【請求項９】
前記リミッターの自由端部と前記ロードビームとの間隔は，相互間に対向しているスライダ間の定常距離の１／２より小さいことを特徴とする，請求項７に記載の記録再生装置。
【請求項１０】
前記リミッターの自由端部が前記ロードビームと接触して反作用することによって，前記スライダが記録再生装置の他の部分に接触される前に，前記リミッターが前記フレクシャー及び前記スライダの揺動運動に対するストッパーとなることを特徴とする，請求項７に記載の記録再生装置。
【請求項１１】
前記リミッターの自由端部は，前記ロードビームと点接触することを特徴とする，請求項７に記載の記録再生装置。
【請求項１２】
前記ロードビームには，前記リミッターが通過するホールが形成されていることを特徴とする，請求項７に記載の記録再生装置。
【請求項１３】
前記リミッターは，ホック状であることを特徴とする，請求項７に記載の記録再生装置。
【請求項１４】
データが保存される記録媒体と，
読み取り／書き込みヘッドを前記記録媒体上の所定の位置に移動させるものであって，スイングアーム，及び前記スイングアームの一端部に設置され，前記読み取り／書き込みヘッドが搭載されたスライダを前記記録媒体の表面側に付勢されるように支持するサスペンション組立体を備えるアクチュエータと，
を備え，
前記サスペンション組立体は，
ロードビームと結合され，前記スライダを支持するフレクシャーと，
前記スライダが記録再生装置の他の部分に接触される前に，前記フレクシャー及び前記スライダの揺動運動を制限するリミッター手段と，
を備えることを特徴とする，記録再生装置。
【発明の詳細な説明】
【技術分野】
【０００１】
本発明は，ディスクドライブのサスペンション組立体，及び，記録再生装置にかかり，特に，外部衝撃または振動により発生して，スライダとヘッドの損傷を誘発するフレクシャーの揺動を制限できるホックリミッターが備えられたディスクドライブのサスペンション組立体，及び，記録再生装置に関する。なお，記録再生装置とは，記録及び／または再生ができる装置をいう。
【背景技術】
【０００２】
コンピュータの情報記録装置のうち一つであるハードディスクドライブ（Ｈａｒｄ Ｄｉｓｋ Ｄｒｉｖｅ：ＨＤＤ）は，読み取り／書き込みヘッドを使用してディスクに保存されたデータを再生するか，またはディスクにデータを記録する装置である。
【０００３】
前記ＨＤＤは，ヘッドパーキング方式によってＣＳＳ（Ｃｏｎｔａｃｔ Ｓｔａｒｔ Ｓｔｏｐ）方式とランプローディング方式とに区分される。
【０００４】
ＣＳＳ方式は，前記ＨＤＤが作動しないとき，すなわちディスクの回転が停止したときには，スライダがサスペンション組立体の弾性力によりディスクの内周側に設けられたパーキングゾーンの表面に載置されているシステムをいう。
【０００５】
そして，ランプローディング方式は，ディスクの外側にランプが備えられているので，ＨＤＤが作動しないときには，前記ランプ上に前記ヘッドがパーキングされる方式をいう。
【０００６】
図１は，従来のディスクドライブについての概略的な部分斜視図であり，図２は，従来のディスクドライブに適用されたサスペンション組立体を示す垂直断面図である。
【０００７】
図１及び図２に示すように，従来のディスクドライブには，データの記録のための記録媒体であるディスク１，前記ディスクを回転させるためのスピンドルモータ２，及び読み取り／書き込みヘッド（図示せず）を前記ディスク１上の所望の位置に移動させるためのアクチュエータ３が備えられる。前記読み取り／書き込みヘッドは，前記ディスク１に／から所定のデータを記録／再生するためのものである。
【０００８】
詳しくは，前記アクチュエータ３には，ボイスコイルモータ（Ｖｏｉｃｅ Ｃｏｉｌ Ｍｏｔｏｒ：ＶＣＭ）（図示せず）で発生する回転力により回転するスイングアーム４，及び前記スイングアーム４の一端部に設置されているサスペンション組立体５が備えられる。前記サスペンション組立体５は，前記ヘッドが搭載されている空気ベアリングスライダ８を前記ディスク１の表面側に付勢されるように支持する。
【０００９】
さらに詳しくは，前記サスペンション組立体５には，前記スイングアーム４の一端部に結合されているロードビーム６，前記ロードビーム６の背面部から延びるフレクシャー７，及び前記フレクシャー７の背面部に結合されている空気ベアリングスライダ８が備えられる。前記フレクシャー７は，前記ヘッドが搭載されている前記スライダ８を支持する。そして，前記スライダ８は，前記ディスク１が回転するにつれて発生する浮揚力により，前記ヘッドが搭載されている状態で前記ディスク１の表面から所定の高さに浮き上がって，前記ヘッドと前記ディスク１の表面との間に所定の間隔を維持させる。
【００１０】
また，前記ロードビーム６には，前記フレクシャー７側に突出されているディンプル９が形成されており，前記ディンプル９は，前記フレクシャー７に所定の弾性力を提供する。前記のような構造により，前記フレクシャー７は，自由に動作でき，前記フレクシャー７が付着されている前記スライダ８のローリング及びピッチングが円滑に行われうる。
【００１１】
ランプローディング方式で，前記ディスクドライブは，前記アクチュエータ３が前記ディスク１側にローディングされて，前記ディスク１に保存されているデータを再生するか，または前記ディスク１にデータを保存する。そして，前記のような作業を行わないとき，前記アクチュエータ３は，前記ディスク１の一側に所定の距離で離隔されて設置されているランプに載置される。
【００１２】
前記のような駆動で，前記アクチュエータ３が前記ランプ側にアンローディングされるときは，前記スライダ８に負圧が加えられて，前記ロードビーム６と前記フレクシャー７との間が離隔される。そして，前記アクチュエータ３の端部には，エンドタブが形成されているので，前記アクチュエータ３がアンローディングされるとき，前記ランプに接触した後，前記ランプの傾斜面に沿って上昇して前記アクチュエータ３が上昇する。しかし，前記の上昇過程で，前記フレクシャー７は，慣性により前記エンドタブが前記ランプに接触するときの高さを維持して，前記フレクシャー７が前記ディンプル９と瞬間的に分離されるので，前記ロードビーム６と前記フレクシャー７との間が離隔される。前記のように，前記ロードビーム６と前記フレクシャー７との間が離隔されれば，前記スライダ８がディスクのその他の部材と衝突するおそれがあるので，前記スライダ８，前記スライダ８に搭載されたヘッド，及びディスクが損傷されることがある。
【００１３】
前記のような損傷が発生しないようにするために，従来のサスペンション組立体５には，リミッター１０が備えられている。前記リミッター１０は，固定端部が前記フレクシャー７に固定されており，自由端部は，前記ロードビーム６に形成されたホール２０を通じて延びて，前記ロードビーム６の上面と対面するようになっている。前記のような構造により，前記フレクシャー７と前記ロードビーム６との間隔が離隔されれば，前記リミッター１０の自由端部の底面が前記ロードビーム６の上面と接触することによって，前記フレクシャー７と前記ロードビーム６との間隔が一定範囲以下に離隔されることを防止する。
【００１４】
しかし，従来のリミッター１０は，前記フレクシャー７の上下方向の運動に対しては効果的に機能できるが，外部衝撃または振動により前記フレクシャー７の自由端部が搖動するときには効果的に機能できなくなるが，これについては後述する。
【００１５】
図３は，従来のサスペンション組立体の対が相互間に対向し，フレクシャーが搖動する状態を示す垂直断面図である。
【００１６】
図３に示すように，ディスクドライブに複数のサスペンション組立体５，１２が備えられる場合には，前記サスペンション組立体５，１２は，相互間に対向する形態で対をなす。すなわち，ロードビーム６，１３，フレクシャー７，１４，スライダ８，１５，ディンプル９，１６及びリミッター１０，１７は，それぞれ相互間に対向している。図面上に参照のない符号は，前記フレクシャー７，１４が所定の角度で折り曲げられた折曲部１１，１８である。
【００１７】
前記サスペンション組立体５，１２は，ディスクドライブの本体に組み立てられる前に，前記のように相互間に対向する形態で移動する。前記移動中に前記サスペンション組立体５，１２に外部からの衝撃または振動が加えられる場合，前記衝撃または振動により前記フレクシャー７，１４が前記折曲部１１，１８を中心に搖動する。
【００１８】
しかし，従来のリミッター１０，１７は，前述したように，前記フレクシャー７，１４の上下運動に対してはストッパーの機能を行えるが，前記フレクシャー７，１４の揺動運動に対してはストッパーの機能を行えない。具体的に説明すれば，図３に示すように，前記ロードビーム６，１３と対向している前記リミッター１０，１７の自由端部が，前記フレクシャー７，１４の固定端部側に向かって延びている。したがって，前記フレクシャー７，１４が前記折曲部１１，１８を中心に揺動運動を行うとき，前記リミッター１０，１７の自由端部は，前記ロードビーム６，１３と次第にさらに離隔される。これにより，前記フレクシャー７，１４の揺動による前記スライダ８，１５の揺動が一定範囲内で制御されないので，前記スライダ８，１５の相互間に衝突が発生する。前記衝突により，前記スライダ８，１５の下部または前記スライダ８，１５に搭載されているヘッドが損傷，破損されるという問題点がある。
【発明の開示】
【発明が解決しようとする課題】
【００１９】
本発明の目的は，前記のような問題点を解決するために，本発明によるディスクドライブのサスペンション組立体は，フレクシャーの上下運動及び揺動運動に対してストッパーとして機能して，フレクシャーの下部に結合されているスライダ及びヘッドが衝突により損傷，破損されることを防止できるリミッターを提供するところにある。
【課題を解決するための手段】
【００２０】
前記の目的を達成するための本発明によるディスクドライブのサスペンション組立体は，スイングアームの一端部に設置され，読み取り／書き込みヘッドが搭載されたスライダをディスクの表面側に付勢されるように支持するものであって，前記スイングアームの一端部に結合されるロードビーム，前記ロードビームと結合され，前記スライダを支持するフレクシャー，及び固定端部は，前記フレクシャーに固定され，自由端部は，前記ロードビームの先端部側に延びて，前記ロードビームと所定の間隔で離隔されているリミッターを備える。
【００２１】
前記リミッターの自由端部と前記ロードビームとの間隔は，相互間に対向しているスライダ間の定常距離の１／２より小さいようにしてもよい。
【００２２】
前記リミッターの自由端部が前記ロードビームと接触して反作用することによって，前記スライダが他の部分に接触される前に，前記リミッターが前記フレクシャー及び前記スライダの揺動運動に対するストッパーとなり，前記リミッターの自由端部は，前記ロードビームと点接触するような構成としてもよい。
【００２３】
前記ロードビームには，前記リミッターが通過するホールを形成することが可能である。
【００２４】
前記リミッターは，ホック状を有するようにしてもよい。
【００２５】
前記の目的を達成するための本発明による記録再生装置は，データが保存される記録媒体，及び読み取り／書き込みヘッドを前記記録媒体上の所定の位置に移動させるものであって，スイングアームと，前記スイングアームの一端部に設置され，前記読み取り／書き込みヘッドが搭載されたスライダを前記記録媒体の表面側に付勢されるように支持するサスペンション組立体と，を備えるアクチュエータを備え，前記サスペンション組立体は，前記スイングアームの一端部に結合されるロードビーム，前記ロードビームと結合され，前記スライダを支持するフレクシャー，及び固定端部は，前記フレクシャーに固定され，自由端部は，前記ロードビームの先端部側に延びて，前記ロードビームと所定の間隔で離隔されているリミッターを備えることを特徴とする。
【００２６】
前記記録再生装置は，例えば，ＨＤＤである。
【００２７】
前記の目的を達成するための本発明による記録再生装置は，スイングアームの一端部に設置され，読み取り／書き込みヘッドが搭載されたスライダをディスクの表面側に付勢されるように支持するものであって，前記スイングアームの一端部に結合されるロードビーム，前記ロードビームと結合され，前記スライダを支持するフレクシャー，及び固定端部は，前記フレクシャーに固定され，自由端部は，前記ロードビームの先端部側に延びて，前記ロードビームと所定の間隔で離隔されているリミッターを備えるようにしてもよい。
【００２８】
前記リミッターの自由端部と前記ロードビームとの間隔は，相互間に対向しているスライダ間の定常距離の１／２より小さいようにしてもよい。
【００２９】
前記リミッターの自由端部が前記ロードビームと接触して反作用することによって，前記スライダが記録再生装置の他の部分に接触される前に，前記リミッターが前記フレクシャー及び前記スライダの揺動運動に対するストッパーとなり，前記リミッターの自由端部は，前記ロードビームと点接触するような構成としてもよい。
【００３０】
前記ロードビームには，前記リミッターが通過するホールを形成することが可能である。
【００３１】
前記リミッターは，ホック状を有するようにしてもよい。
【００３２】
前記の目的を達成するための本発明による記録再生装置は，データが保存される記録媒体，及び読み取り／書き込みヘッドを前記記録媒体上の所定の位置に移動させるものであって，スイングアームと，前記スイングアームの一端部に設置され，前記読み取り／書き込みヘッドが搭載されたスライダを前記記録媒体の表面側に付勢されるように支持するサスペンション組立体と，を備えるアクチュエータを備え，前記サスペンション組立体は，ロードビームと結合され，前記スライダを支持するフレクシャー，及び前記スライダが記録再生装置の他の部分に接触される前に，前記フレクシャー及び前記スライダの揺動運動を制限するリミッター手段を備えることを特徴とする。
【発明の効果】
【００３３】
本発明によるディスクドライブのサスペンション組立体によれば，ホック状によってなるホックリミッターが設置され，外部衝撃または振動によるフレクシャーの上下運動だけでなく，揺動運動に対してもストッパーとして機能する。したがって，相互間に対向しているサスペンション組立体，特にスライダ間の衝突を防止できるので，スライダ及びスライダに搭載されているヘッドの損傷または破損を防止できる。
【発明を実施するための最良の形態】
【００３４】
以下に添付図面を参照しながら，本発明の好適な実施形態について詳細に説明する。なお，本明細書および図面において，実質的に同一の機能構成を有する構成要素については，同一の符号を付することにより重複説明を省略する。説明の便宜上，記録再生装置がＨＤＤである場合を例として説明する。
【００３５】
図４は，本実施形態にかかるディスクドライブのサスペンション組立体が備えられたアクチュエータを示す斜視図であり，図５は，図４のＡ部分についての拡大斜視図である。
【００３６】
図４及び図５に示すように，本実施形態にかかるサスペンション組立体が備えられたアクチュエータ１００は，ディスクに／からデータを記録／再生するための読み取り／書き込みヘッド（図示せず）を前記ディスク上の所望の位置に移動させるためのものである。
【００３７】
詳しくは，前記アクチュエータ１００には，ＶＣＭ（図示せず）で発生する回転力により回転するスイングアーム１０１，及び前記スイングアーム１０１の一端部に設置されているサスペンション組立体１１０が備えられる。前記サスペンション組立体１１０は，前記ヘッドが搭載されている空気ベアリングスライダ１１３を前記ディスクの表面側に付勢されるように支持する。
【００３８】
さらに詳しくは，前記サスペンション組立体１１０には，ロードビーム１１１，フレクシャー１１２，前記ヘッドが搭載された空気ベアリングスライダ１１３，及びリミッター１２０が備えられる。ここで，リミッター１２０は，ホック状を有することが望ましい。説明の便宜上，以下，リミッター１２０をホックリミッター１２０という。
【００３９】
前記ロードビーム１１１は，前記スイングアーム１０１の一端部に結合される。そして，通常的に薄い（例えば，ほぼ０．０５ｍｍ程度の厚さ）ステンレス鋼板のような金属板をプレス加工することによって製造される。前記ロードビーム１１１には，ディンプル１１４が形成されているが，前記ディンプル１１４は，前記フレクシャー１１２に所定の弾性力を提供する。前記のような構造により，前記フレクシャー１１２は自由に動作できるので，前記フレクシャー１１２に付着されている前記スライダ１１３のローリング及びピッチングが円滑に行われうる。そして，前記ロードビーム１１１には，前記ホックリミッター１２０が貫通設置されるためのホール１１５が形成されている。前記ホックリミッター１２０の一側が前記ホール１１５を貫通して，前記ロードビーム１１１の上面と対向している形状を有する。
【００４０】
前記フレクシャー１１２は，前記ロードビーム１１１の底面，すなわち前記ディスクに対向する面に付着され，前記スライダ１１３を支持する。前記フレクシャー１１２の一端部は，前記ロードビーム１１１のディスク対向面に溶接により固定され，他端部は，前記ロードビーム１１１の端部側に延びて，ある程度自由に動作可能になっている。前記フレクシャー１１２は，前記ロードビーム１１１と同様に薄いステンレス鋼板で製造される。ただし，前記フレクシャー１１２は，背面部に付着されている前記スライダ１１３のローリング及びピッチングを自由に行うために，前記ロードビーム１１１より薄い（例えば，ほぼ０．０２ｍｍ程度の厚さ）。
【００４１】
前記スライダ１１３は，前記ディスクが回転するにつれて発生する浮揚力により，前記ヘッドが搭載されている状態で前記ディスクの表面から所定の高さに浮き上がって，前記ヘッドと前記ディスクの表面との間に所定の間隔を維持する。
【００４２】
前記ホックリミッター１２０は，前記ロードビーム１１１に形成されている前記ホール１１５を貫通して設置されており，自由端部１２１，曲面部１２２，固定端部１２３からなる。
【００４３】
前記自由端部１２１は，前記ロードビーム１１１と所定の間隔１２４で離隔されている。これは，フレクシャー１１２がローリング，ピッチングを行うとき，前記ロードビーム１１１と前記自由端部１２１とを接触させずに，前記ローリング，ピッチングに対して前記フレクシャー１１２が妨害物とならせないことによって，前記ローリング，ピッチングが円滑に行われうる。
【００４４】
前記曲面部１２２は，所定の曲率半径を有し，前記自由端部１２１と前記固定端部１２３とを連結する。そして，前記固定端部１２３は，前記ホックリミッター１２０を前記フレクシャー１１２に固定させる。
【００４５】
前記ホックリミッター１２０は，外部衝撃，振動により発生する前記フレクシャー１１２の上下運動または揺動運動に対してストッパーとして機能するが，これについては後述する。
【００４６】
図６は，本実施形態にかかるディスクドライブのサスペンション組立体を示す垂直断面図であり，図７は，本実施形態にかかるサスペンション組立体に備えられるフレクシャーが搖動するとき，ホックリミッターがストッパーとして機能する状態を示す垂直断面図である。
【００４７】
図６及び図７に示すように，本実施形態にかかるディスクドライブのサスペンション組立体１１０には，ロードビーム１１１，前記ロードビーム１１１に設置されているフレクシャー１１２，前記フレクシャー１１２に設置されているスライダ１１３，前記スライダ１１３のピッチング，ローリングを自由に行うディンプル１１４，及び前記フレクシャー１１２に固定されているホックリミッター１２０が備えられる。前記ホックリミッター１２０は，自由端部１２１，曲面部１２２，固定端部１２３からなり，前記ロードビーム１１１に形成されているホール１１５を貫通して設置される。図面上に参照のない符号は，前記フレクシャー１１２の折曲部１１６である。
【００４８】
前記フレクシャー１１２は，一般的に一側が前記ディンプル１１４に接触されて，所定の圧力で加圧されている。前記ディンプル１１４との接触を通じて，前記フレクシャー１１２が正常的な運動軌跡を表す場合，前記スライダ１１３は，自由にピッチング，ローリングできる。このとき，前記自由端部１２１は，対向している前記ロードビーム１１１と所定の間隔で離隔されているので，前記ホックリミッター１２０は，前記フレクシャー１１２及び前記スライダ１１３の運動に対してストッパーとして機能しない。
【００４９】
しかし，前記サスペンション組立体１１０に外部衝撃または振動が伝えられれば，前記フレクシャー１１２が搖動する。前記揺動運動により，前記フレクシャー１１２と前記ロードビーム１１１との間が所定の間隔より広く離隔されれば，前記ホックリミッター１２０が前記フレクシャー１１２及び前記スライダ１１３の運動に対するストッパーとして機能する。
【００５０】
詳しく説明すれば，前記フレクシャー１１２が搖動すれば，前記固定端部１２３により前記フレクシャー１１２に固定されている前記ホックリミッター１２０も共に搖動する。そして，前記フレクシャー１１２と前記ロードビーム１１１との間が所定の間隔より広く離隔されれば，前記自由端部１２１が前記ロードビーム１１１と接触して，前記揺動運動に対する反作用力が前記ホックリミッター１２０に作用する。前記の反作用力の作用により，前記ホックリミッター１２０及び前記フレクシャー１１２の揺動運動が停止して，前記ホックリミッター１２０は，前記フレクシャー１１２及び前記スライダ１１３の運動に対するストッパーとして機能する。
【００５１】
特に，前記自由端部１２１が前記ロードビーム１１１と接触して発生する反作用力は，前記フレクシャー１１２に対してモーメントを発生させる。前記反作用力によるモーメントは，外部衝撃または振動により発生して，前記フレクシャー１１２が前記折曲部１１６を中心に回転させる外部衝撃または振動によるモーメントを相殺させる。したがって，前記ホックリミッター１２０は，従来のホックリミッターに比べて，フレクシャーの上下運動は言うまでもなく，揺動運動も制御可能にするので，さらに効果的なストッパーとして機能できる。
【００５２】
ここで，前記ホックリミッター１２０は，ホック状を有し，前記自由端部１２１が前記ロードビーム１１１と点接触する。
【００５３】
図８は，本実施形態にかかるディスクドライブのサスペンション組立体の対が相互間に対向して揺動している状態を示す垂直断面図である。
【００５４】
図８に示すように，本実施形態にかかるディスクドライブのサスペンション組立体の対には，ロードビーム１１１，１３０，フレクシャー１１２，１３１，スライダ１１３，１３２，ディンプル１１４，１３３，ホックリミッター１２０，１４０がそれぞれ相互間に対向して備えられる。図面上に参照のない符号は，前記ホックリミッター１２０，１４０の折曲部１１６，１３４である。
【００５５】
図８に示すように，前記サスペンション組立体の対に外部衝撃または振動が伝えられれば，前記フレクシャー１１２，１３１は，上下運動と共に，前記折曲部１１６，１３４を中心に揺動運動を行う。かかる運動を通じて，前記フレクシャー１１２，１３１は，相互間に接近及び離隔を反復する。このとき，前記フレクシャー１１２，１３１の揺動が制御されなければ，前記サスペンション組立体の対の相互間に衝突が発生して，一部の部品の損傷または破損が発生する。特に，相互間に対向している前記スライダ１１３，１３２間に衝突が発生して，前記スライダ１１３，１３２及び前記スライダ１１３，１３２に搭載されているヘッドが損傷または破損されるおそれがある。
【００５６】
前記のようなおそれを解消させるためにホックリミッターが設置されたが，従来のホックリミッターは，フレクシャーの上下運動に対してストッパーとして機能するだけであり，フレクシャーの揺動運動に対してはストッパーとして機能できなかった。本実施形態にかかるホックリミッター１２０，１４０は，前述したように，前記フレクシャー１１２，１３１の上下運動に対しては言うまでもなく，前記フレクシャー１１２，１３１の揺動運動に対してもストッパーとして機能して，前記スライダ１１３，１３２及び前記ヘッドの損傷または破損を防止できる。そして，前記の防止効果が極大化可能に，前記リミッター１２０，１４０の自由端部と前記ロードビーム１１１，１３０との間隔は，相互間に対向している前記スライダ１１３，１３２間の定常距離の１／２より小さいことが望ましい。
【００５７】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。すなわち，上記実施形態は例示的なものに過ぎず，当業者であれば，これから多様な変形及び均等な他の実施形態が可能であるという点を理解できるであろう。したがって，本発明の真の技術的保護範囲は，特許請求の範囲により決まらねばならない。
【産業上の利用可能性】
【００５８】
本発明は，ＨＤＤ関連の技術分野に利用可能である。具体的には，ディスクドライブのサスペンション組立体，及び，記録再生装置に利用可能であり，特に，外部衝撃または振動により発生して，スライダとヘッドの損傷を誘発するフレクシャーの揺動を制限できるホックリミッターが備えられたディスクドライブのサスペンション組立体，及び，記録再生装置に利用可能である。
【図面の簡単な説明】
【００５９】
【図１】従来のディスクドライブについての概略的な部分斜視図である。
【図２】従来のディスクドライブに適用されたサスペンション組立体を示す垂直断面図である。
【図３】従来のサスペンション組立体の対が相互間に対向し，フレクシャーが搖動する状態を示す垂直断面図である。
【図４】本発明の一実施形態にかかるディスクドライブのサスペンション組立体が備えられたアクチュエータを示す斜視図である。
【図５】図４のＡ部分についての拡大斜視図である。
【図６】本発明の一実施形態にかかるディスクドライブのサスペンション組立体を示す垂直断面図である。
【図７】本発明の一実施形態にかかるサスペンション組立体に備えられるフレクシャーが搖動するとき，ホックリミッターがストッパーとして機能する状態を示す垂直断面図である。
【図８】本発明の一実施形態にかかるディスクドライブのサスペンション組立体の対が相互間に対向して揺動している状態を示す垂直断面図である。
【符号の説明】
【００６０】
１００  アクチュエータ
１０１  スイングアーム
１１１  ロードビーム
１１２  フレクシャー
１１３  スライダ
１１４  ディンプル
１１５  ホール
１２０  リミッター
１２１  自由端部
１２２  曲面部
１２３  固定端部
１２  間隔
【図１】
2006092726.tif 000003
【図２】
2006092726.tif 000004
【図３】
2006092726.tif 000005
【図４】
2006092726.tif 000006
【図５】
2006092726.tif 000007
【図６】
2006092726.tif 000008
【図７】
2006092726.tif 000009
【図８】
2006092726.tif 000010